(57)【要約】【課題】簡単な構成で押しボタン部材が押し下げられた際と押し下げが解除されて押しボタン部材が元位置に復帰した際との両方で発生する衝撃音を抑制できる押しボタン式スイッチを提供する。【解決手段】筒状のケース本体１０と、このケース本体の底板に取り付けられる自動復帰式のスイッチノブを有するプッシュスイッチ２０と、このプッシュスイッチのスイッチノブに取り付けられ前記ケース本体に対し上下方向へスライド可能に設けられた押しボタン部材３０と、を有する。前記押しボタン部材３０をエラストマー樹脂などの緩衝性と弾力性を有するもので構成すると共に、押し操作部３１と、この押し操作部の下面側に設けた前記スイッチノブを圧入する構成の取付穴を設けた取付筒部３３と、この取付筒部の外側に位置して設けた前記押しボタン部材の下降幅を規制する当接部３２と、で構成した。【選択図】図５
2019125439.tif 000002
【特許請求の範囲】
【請求項１】
操作盤へ取り付けられる筒状のケース本体と、
このケース本体の底板に取り付けられるところの自動復帰式のスイッチノブを有するプッシュスイッチと、
このプッシュスイッチのスイッチノブに取り付けられ前記ケース本体に対し上下方向へスライド可能に設けられた押しボタン部材と、を有する押しボタン式スイッチであって、
前記押しボタン部材をエラストマ樹脂などの緩衝性と弾力性を有するもので構成すると共に、押し操作部と、この押し操作部の下面側に設けたところの前記スイッチノブを圧入する構成の取付穴を設けた取付筒部と、この取付筒部の外側に位置して設けたところの前記押しボタン部材の下降幅を規制する当接部とで構成したことを特徴とする、押しボタン式スイッチ。
【請求項２】
前記スイッチノブは、押し下げ方向に垂直なテーパー形状の取付挿入部を有し、
この取付挿入部が挿入されるところの前記押しボタン部材の取付筒部に設けた取付穴もテーパー状に形成されていることを特徴とする、請求項１に記載の押しボタン式スイッチ。
【請求項３】
前記当接部には、その先端部にアール部を設けてあることを特徴とする、請求項１に記載の押しボタン式スイッチ。
【請求項４】
前記当接部には、そのスライド方向に逃がし溝が設けられていることを特徴とする、請求項１に記載の押しボタン式スイッチ。
【請求項５】
前記当接部には、ナシ地加工を施してあることを特徴とする、請求項１に記載の押しボタン式スイッチ。
【請求項６】
前記エラストマ樹脂は、ウレタン樹脂であることを特徴とする、請求項１〜３のいずれか１項に記載の押しボタン式スイッチ。
【請求項７】
上記請求項1〜６のいずれか１項に記載の押しボタン式スイッチを取り付けたことを特徴とする、操作盤。
【発明の詳細な説明】
【技術分野】
【０００１】
本発明は、とくに家庭用テレビゲーム機や業務用テレビゲーム機の操作盤に用いて好適な押しボタン式スイッチ並びにこの押しボタン式スイッチを用いた操作盤に関する。
【背景技術】
【０００２】
近年、家庭用テレビゲーム機が広く家庭に普及している。これらの家庭用テレビゲーム機は、通常、揺動及び又は回転可能な操作レバーを有する複合操作スイッチ（ジョイスティックレバー）や複数の押しボタン式スイッチやその他のスイッチが取り付けられた操作盤を通じて操作される。このような家庭用テレビゲーム機でゲームを楽しむとき、ユーザーはゲームに夢中になると、つい力が入って、押しボタン式スイッチを乱暴に叩いたり連打したりする場合が多々ある。このような場合、押し込み時に押しボタン部材の先端がケース本体の底板に当って発生する衝撃音や連打音が大きくなり、とくに夜間において耳障りな騒音となって周囲に迷惑を掛けていた。そこで本出願人は、下記特許文献１に記載されたような押しボタン式スイッチ並びにこの押しボタン式スイッチを用いたとくに家庭湯テレビゲーム機の操作盤を提案した。
【０００３】
下記特許文献１に記載されたとくに家庭用テレビゲーム機の押しボタン式スイッチは、操作盤へ取り付けられるところの底板を有する筒状のケース本体と、このケース本体の底板に取り付けられたプッシュスイッチと、この底板の上面側にプッシュスイッチの部分を残して敷設された吸音部材と、プッシュスイッチのスイッチノブを押し下げるためにケース本体に対して上下方向へスライド可能に取り付けられた押しボタン部材とを有している。この押釦部材には、これを下方へ押し込んだ際にその下降幅を規制する当接部が設けられており、押釦部材を押し込んだ際にこの当接部が吸音部材に当接することによって、衝撃音が発生するのを防止できるものである。しかるに、この押釦部材には、これが元位置に復帰する際に、その上動幅を規制する係止部材が設けられており、この係止部材にはケース本体に設けたガイド溝に嵌入された係止爪が設けられていることから、押釦部材の復帰時にこの係止爪がガイド溝の上端部に当たる際に衝撃音が発生するのを防止できていなかった。
【先行技術文献】
【特許文献】
【０００４】
【特許文献１】特開２０１４−１８５３４号公報
【発明の概要】
【発明が解決しようとする課題】
【０００５】
そこで本発明の目的は、とくに家庭用テレビゲーム機において、吸音部材を省略しても押釦部材の押し込み時に衝撃音が発生するのを防止できた上で、さらに押釦部材の復帰時にも衝撃音が発生しないように成した押しボタン式スイッチ並びにこの押しボタン式スイッチを用いたとくに家庭用テレビゲーム機の操作盤を提供することを目的としている。
【課題を解決するための手段】
【０００６】
上記課題を解決するために、本発明に係る押しボタン式スイッチは、操作盤へ取り付けられる筒状のケース本体と、このケース本体の底板に取り付けられるところの自動復帰式のスイッチノブを有するプッシュスイッチと、このプッシュスイッチのスイッチノブに取り付けられ前記ケース本体に対し上下方向へスライド可能に設けられた押しボタン部材と、を有する押しボタン式スイッチであって、前記押しボタン部材をエラストマ樹脂などの緩衝性と弾力性を有するもので構成すると共に、押し操作部と、この押し操作部の下面側に設けたところの前記スイッチノブを圧入する構成の取付穴を設けた取付筒部と、この取付筒部の外側に位置して設けたところの前記押しボタン部材の下降幅を規制する当接部とで構成したことを特徴とする。
【０００７】
その際に本発明は、前記スイッチノブは、押し下げ方向に垂直なテーパー形状の取付挿入部を有し、この取付挿入部が挿入されるところの前記押しボタン部材の取付筒部に設けた取付穴もテーパー状に形成されていることを特徴とする。
【０００８】
さらに本発明によれば、前記当接部には、その先端部にアール部を設けてあることを特徴とする。
【０００９】
さらに本発明によれば、前記当接部には、そのスライド方向に逃がし溝が設けられていることを特徴とする。
【００１０】
さらに本発明によれば、前記当接部には、ナシ地加工を施してあることを特徴とする。
【００１１】
さらに本発明によれば、前記エラストマ樹脂は、ウレタン樹脂であることを特徴とする。
【００１２】
そして本発明は、上記した各発明に係る押しボタン式スイッチを取り付けた操作盤であることを特徴とする。 
【発明の効果】
【００１３】
本発明によれば、簡単な構成で押しボタン部材が押し下げられた際と押し下げが解除されて押しボタン部材が元位置に復帰した際との両方で発生する衝撃音を抑制防止できるボタン式スイッチ並びにこのボタン式スイッチを用いたとくにテレビゲーム機の操作盤を提供することができる。
【図面の簡単な説明】
【００１４】
【図１】本発明に係る押しボタン式スイッチを用いたとくに家庭用テレビゲーム機の操作盤の外観図である。
【図２】図１に示した押しボタン式スイッチの操作盤に対する取付状態の説明図である。
【図３】図１に示した押しボタン式スイッチの斜視図である。
【図４】図１に示した押しボタン式スイッチの縦断面図であり、（ａ）は図３のＡ−Ａ戦断面図、（ｂ）は図３のＢ−Ｂ戦断面図である。
【図５】図１に示した押しボタン式スイッチを斜め下方から見た分解斜視図である。
【図６】図１に示した押しボタン部材の構造の説明図であり、（ａ）は押釦部材を押圧した状態の縦断面、（ｂ）は取付ケースの平面図である。
【図７】図１に示した押しボタン式スイッチの押しボタン部材を示し、（ａ）はその底面図、（ｂ）は（ａ）のＣ−Ｃ戦断面図、（ｃ）は（ａ）のＤ−Ｄ線断面図である。
【図８】図１に示した押しボタン式スイッチを斜め上方から見た分解斜視図である。
【発明を実施するための形態】
【００１５】
以下、本発明の実施の形態を、添付した図面に基づいて詳細に説明する。以下の説明では、家庭用テレビゲーム機の操作盤へ取り付けられる押しボタン式スイッチと、この押しボタン式スイッチを用いたとくに家庭用テレビゲーム機の操作盤について説明するが、本発明に係る押しボタン式スイッチと操作盤はこのものに限定されず、業務用のテレビゲーム機、その他のゲーム機をはじめとするところの、押しボタン式スイッチを用い、これを操作する際に発生する操作音の発生を抑制防止することが要請される他の機器の押しボタン式スイッチやこの押しボタン式スイッチを用いた操作盤に適用される。
【実施例１】
【００１６】
（操作盤）
図１は家庭用テレビゲーム機に用いられる操作盤の外観図である。図１に示すように、この操作盤１は、ＵＳＢコネクタ７を有し、不図示のゲーム機本体、又はゲームソフトをインストールしたコンピュータのＵＳＢ端子に接続して使用される。パソコンやテレビゲーム機を用いてゲームを楽しむゲーム者は、操作盤１の上面に配置された複合操作スイッチ２や押しボタン式スイッチ３、３・・を操作することにより、テレビ受像機又はディスプレイに映し出されたゲームの画像を操作してゲームを実行する。
【００１７】
操作盤１は、ほぼ全体が硬質の合成樹脂製であって、上部側解放の下部ケース体１ａと、下部ケース体１ａに上から被せられて固着される下部側解放の上部ケース体１ｂと、を有し、上部ケース体１ｂの上面に、揺動及び又は回転可能な操作レバー２ａを有する複合操作スイッチ２と共に、押しボタン式スイッチ３が複数設けられている。上部ケース体１ｂの上面を区画して、操作パネルとしての装甲板１ｃが設けられている。装甲板１ｃには、揺動及び又は回転可能な操作レバー２ａを有する複合操作スイッチ２と共に、押しボタン式スイッチ３、３・・・が複数取付けられている。装甲板１ｃには、その他の操作スイッチ４、５、６も共に取り付けられている。
【００１８】
（押しボタン式スイッチ）
図２は上記した押しボタン式スイッチ３の装甲板１ｃに対する取付状態の説明図である。図３は押しボタン式スイッチ３の斜視図である。図４は押しボタン式スイッチ３のＯＦＦ状態での縦断面図であり、（ａ）は図３のＡ−Ａ線断面図、（ｂ）は図３のＢ−Ｂ線断面図である。図５は押しボタン式スイッチ３を斜め下側から見た分解斜視図である。図６は押しボタン部材の構造の説明図であり、（ａ）は押ボタン部材を押圧してＯＮさせた状態の縦断面、（ｂ）は取付ケースの平面図である。図７は押しボタン式スイッチの押しボタン部材の構造の説明図であって、（ａ）はその底面図、（ｂ）は（ａ）の取付穴の長辺に沿った方向のＣ−Ｃ線断面図、（ｃ）は（ａ）の補強リブに沿った方向のＤ−Ｄ線断面図である。図８は押しボタン式スイッチ３を斜め上側から見た分解斜視図である。
【００１９】
図２〜図６に示すように、押しボタン式スイッチ３は、底板１３を有する筒状のケース本体１０と、このケース本体１０の底板１３に取付けられたプッシュスイッチ２０と、このプッシュスイッチ２０のスイッチノブ２１を押し下げるための押しボタン部材３０と、を有する。そして、押しボタン部材３０は、エラストマ樹脂で成形され、スイッチノブ２１を取付穴３３ｂへ圧入することで保持する取付筒部３３と、同じくエラストマ樹脂で成形され、押しボタン部材３０が押し下げられた際に底板１３に当接してスイッチノブ２１の押し下げ位置を位置決める複数に分割された当接部３２、３２・・と、を有する。このケース本体１０は、筒状の胴部１１の上部にフランジ部１２、下部に底板１３を配置して一体に樹脂成型され、装甲板１ｃに設けた取付孔１ｅに挿入して固定されている。
【００２０】
図４の（ａ）と（ｂ）に示すように、ケース本体１０は、その両側部に一対の取付片１４，１４が弾性的に揺動可能に設けられ、取付片１４，１４の自由端側に階段状の係止部１５，１５が形成されると共に、そのフランジ部１２の下端面と係止部１５，１５の上端面との間に装甲板１ｃの肉厚分の間隙が設けられている。取付片１４，１４は、胴部１１の側部に１８０度間隔で対向位置に設けた矩形状の貫通孔１６，１６の下端部側に接続させて上部側が片持ち梁状にかつ揺動可能に分離されており、この矩形状の貫通孔１６，１６の両内側と取付片１４，１４の両側面と間には取付片１４，１４の揺動を容易にする間隙１６ａ、１６ａ及び内側の貫通孔１６ｂが設けられている。また、取付片１４，１４の内側は、胴部１１の内側へ突出しないように形成されている。
【００２１】
図２に示すように、取付孔１ｅに上側から挿入されたケース本体１０は、係止部１５，１５が内側へ逃げることによって取付孔１ｅに挿入されて行き、装甲板１ｃの上面側がフランジ部１２に当接した際に、係止部１５，１５が自動的に戻ることによって、当該係止部１５，１５の上端面とフランジ部１２の下端面との間で装甲板１ｃを挟むことにより、取付孔１ｅに対し上方へも下方へも抜け出ないように固定されている。
【００２２】
図４の（ａ）と（ｂ）に示すように、押しボタン式スイッチ３は、非操作時のＯＦＦ状態では、プッシュスイッチ２０のスイッチノブ２１に与えられている付勢力により押しボタン部材３０の押し操作部３１がケース本体１０のフランジ部１２から上方へ突出している。一方、図６の（ａ）に示すように、押しボタン式スイッチ３は、押し操作されたＯＮ状態では、押し操作部３１の上面が概ねフランジ部１２の高さまで押し込まれている。
【００２３】
図４の（ａ）、（ｂ）と図６の（ａ）に示すように、プッシュスイッチ２０は、自動復帰式のスイッチノブを有する公知構成のものであるので、その内部構成は図示を省略するが、とくにその構成に限定はない。この公知構成のプッシュスイッチ２０は、スイッチケース２２に対して上下方向へスライド可能であって、図示してない弾性を有する接点片によって上方へ付勢されたスイッチノブ２１を有する。押しボタン部材３０は、後述するように、このスイッチノブ２１に装着され、スイッチノブ２１を介してプッシュスイッチ２０をＯＮ、ＯＦＦさせる。押しボタン部材３０をスイッチノブ２１に作用している付勢力に抗して当該スイッチノブ２１ごと押し込むと電源がＯＮ或はＯＦＦされ、押しボタン部材３０に対する押圧力を解くと，スイッチノブ２１に作用している接点片の付勢力により、当該押しボタン部材３０は元位置に戻り、電源がＯＦＦ或はＯＮされる構成である。
【００２４】
図５と図７に示すように、押しボタン部材３０は、緩衝性と弾力性に優れたた例えばウレタンゴムのようなエラストマ樹脂を用いて一体に成形されたもので、ケース本体１０より上方へ突出した押し操作部３１と、この押し操作部３１の下面側中央から下方へ垂下させた取付筒部３３と、この取付筒部３３の外側に当該取付筒部３３を囲んで垂設されたところの押しボタン部材３０そのものの降下幅を規制する当接部３２、３２・・を上下方向へスライド可能に挿入させている。さらに、取付筒部３３には、とくに図４〜図６に示したように、テーパー状の取付穴３３ｂが形成され、この取付穴３３ｂにスイッチノブ２１の取付挿入部２１ａが圧入される構成である。当接部３２，３２・・はその先端側から押し操作部３１に向けて所定間隔３２ｄ、３２ｄ・・を空けて９０度間隔で４等分に分割されている。この当接部３２，３２・・が所定間隔３２ｄ、３２ｄ・・を空けて複数（実施例では４分割）に分割されているのは、当接部のスライド動作を円滑にすることと、押し操作部３１を押し込んだ際にケース本体１０に設けた窓部１１ａ、１１ａと相俟って圧縮される空気が外部へ逃げ易くする効果を期待しているものである。しかしながら当接部はこれを分割しなくともよい場合もある。さらに、各当接部３２，３２・・の外側には、上下方向（スライド方向）に逃がし溝３２ｃ、３２ｃ・・が設けられ、押しボタン部材３０のケース本体１０内部でのスライド動作の円滑化を図ってもいる。
【００２５】
プッシュスイッチ２０のスイッチノブ２１の円柱部２１ｂには上端に至るほど幅狭になるテーパーが付けられた平断面矩形状を呈した取付挿入部２１ａが設けられており、この取付挿入部は２１ａは、押しボタン部材３０の中央に形成された柱状（直方体状）の取付筒部３３のテーパ状の取付穴３３ｂに圧入されている。この取付挿入部２１ａの平断面矩形状を呈したものは、この形に限定されるものではなく、その他の様々な形状のものとすることができる。取付筒部３３は、段差部当接面３３ａがスイッチノブ２１の段差部２１ｃに突き当たるまでスイッチノブ２１の取付挿入部２１ａに挿入されているので、図４の（ａ）、（ｂ）に示す押しボタン部材３０のＯＦＦ状態の高さ位置が位置決められると共に、取付穴３３ｂによるスイッチノブ２１の取付挿入部２１ａに対する圧入状態を一定とすることができるものである。取付筒部３３の取付穴３３ｂは、スイッチノブ２１の取付挿入部２１ａを、素材のエラストマ樹脂の弾力に抗して圧入されているので、上述した特許文献１の従来技術のもののように、係止爪を設けた係止片を押しボタン部材３０に設けなくとも、使用中に上方へ抜け出てしまう心配はない。
【００２６】
次に、押しボタン部材３０の取付筒部３３の取付穴３３ｂへプッシュスイッチ２０のスイッチノブ２１の取付挿入部２１ａを挿入させる際には、スイッチノブ２１の取付挿入部２１ａに対し取付筒部３３を垂直方向からあてがい、押しボタン部材３０を下方へ押圧する。すると、スイッチノブ２１はその付勢力に抗して下降して停止するので、さらに力を込めて押しボタン部材３０を押圧することにより、取付筒部３３の先端が段差部２１ｃに当接する。ここまで取付挿入部２１ａを取付穴３３ｂに挿入することによって押しボタン部材３０が停止する。この状態によって、スイッチノブ２１の取付挿入部２１ａは、取付筒部３３の取付穴３３ｂへしっかりと圧入固定される。その後、押しボタン部材３０に対する押圧力を解くと、押しボタン部材３０はスイッチノブ２１に作用している付勢力によって押し戻され、使用待機状態で取り付けられることになる。
【００２７】
尚、後述するが、本発明に係る押しボタン式スイッチ３の組立が完了した後においては、押しボタン部材３０を押し込むと、その当接部３２，３２・・の先端部３２a、３２a・・が、ケース本体１０の底板１３に設けた段差部１３ｂ、１３ｂ・・に当たることから、スイッチノブ２１の下降幅が規制され、スイッチノブ２１は、取付筒部３３へ取付挿入部２１ａを装着させる際ほどにはその最下端まで押し込まれることはない構成である。尚、この各段差部１３ｂ、１３ｂ・・は必須ではない。底板１３と面一であっても良い。
【００２８】
（プッシュスイッチ）
上述したように、プッシュスイッチ２０は公知構成のものであり、その内部構造の図示は省略してあるが、図６と図８に示すように、このプッシュスイッチ２０は、上方から底板１３の開口部１３ａに挿入して、スイッチケース２２の左右一対の係合部２２ａ，２２ａを開口部１３ａの棚部１３ｃに係合させることによりケース本体１０に取り付けられている。尚、指示記号２２ｂ、２２ｂ・・のものは、プッシュスイッチ２０のスイッチケース２２をケース本体１０の底板１３に設けた開口部１３ａの棚部１３ｃへ係止させるための係止突片である。さらに、プッシュスイッチ２０は、従来公知のマイクロスイッチやリードスイッチに置き換えても良い。
【００２９】
また、押しボタン部材３０の材料をエラストマに変更して、押しボタン部材３０の当接部３２，３２・・がケース本体１０の底板１３に設けた段差部１３ｂ、１３ｂ・・へ当って発生する衝撃音や連打音を抑制した。そして、エラストマで形成された押しボタン部材３０の表面の所定領域を微細な凹凸で覆った。
【００３０】
（押しボタン部材）
図７は押しボタン部材３０の構造の説明図である。図５と図８は押しボタン式スイッチ３の分解状態の斜視図である。図７中、（ａ）は底面図、（ｂ）は取付穴の長辺に沿った方向のＣ−Ｃ線断面図である。（ｃ）は補強リブに沿った方向のＤ−Ｄ線断面図である。
【００３１】
図４の（ａ），（ｂ）に示すように、取付筒部３３は、スイッチノブ２１の円柱部２１ｂと取付挿入部２１ａの間に設けられた段差部２１ｃに当接して押しボタン部材３０の非操作時の戻り位置を位置決める段差部当接面３３ａを有する。取付筒部３３は、スイッチノブ２１が挿入されて締り嵌めにより保持されるテーパ状を呈した取付穴３３ｂを有して柱状に形成されている。スイッチノブ２１は、押し下げ方向に垂直な断面が長方形である。とくに図７に示すように、取付穴３３ｂは、押し下げ方向に垂直な断面が長方形であって、長方形断面の短辺と長辺との両方にテーパーが形成されている。押しボタン式スイッチ３は、プッシュスイッチ２０により押しボタン部材３０の上限位置を規制しているので、押しボタン部材３０に上限位置を規制する係止部材を設けてケース本体１０に係合させる必要が無い。このため、押しボタン式スイッチ３の復帰時に係止部材がケース本体１０に衝突する衝撃音を解消できる。
【００３２】
図７に示すように、押しボタン部材３０は、押し操作部３１と、押し操作部３１の外周面から下方へ放射状に配置された複数の当接部３２、３２・・と、押し操作部３１の中央に配置された取付筒部３３とがエラストマー樹脂で一体に成型されている。押しボタン部材３０は、押し操作部３１と４本の当接部３２、３２・・と取付筒部３３と補強リブ３４、３４・・とを、ウレタン樹脂を用いて一体に射出成型している。実施例において選択されたエラストマー樹脂は、ウレタン樹脂である。しかし、柔らかいエラストマー樹脂を用いると従来の硬質樹脂のものに比較して押しボタン部材３０が柔らかくなって、従来のような押し操作感が得られなくなる。このため、ウレタン樹脂は、硬めの材料（ビッカース硬度９０度）を選択した。そして、従来の硬質樹脂のものよりも厚い補強リブ３４により押し操作部３１と取付筒部３３と当接部３２とを一体に連結することにより、押し操作部３１のドーム形状を内側から支持している。これにより、押しボタン部材３０の剛性を高めると共に、当接部３２を内側から倒れ止めしている。
【００３３】
しかし、硬いエラストマー樹脂を用いた場合、当初の目的である衝撃の吸収や衝突音の抑制が不十分になる。そこで、押しボタン部材３０の形状を変更して、硬いエラストマであっても、当接部３２が十分に衝撃を吸収できるようにした。具体的には、図７の（ｂ）に示すように、当接部３２、３２・・は、底板１３に向かって断面積が次第に小さくなっている。このため、硬いエラストマを用いた場合でも、当接部３２、３２・・の先端部３２ａ、３２ａ・・の圧縮応力が高まって、圧縮変形が容易になっている。これにより、押しボタン部材３０が押し操作されて当接部３２，３２‥の先端部３２ａ、３２ａ・・がケース本体１０の底板１３に設けた段差部１３ｂ、１３ｂ・・に衝突した際の衝撃が緩和されて、衝突音が抑制される。
【００３４】
当接部３２，３２・・は、円周方向の幅を、硬質樹脂を用いた従来のものよりも狭く、４５度／９０度以下（約３０度）としている。また、図７の（ａ）に示すように、当接部３２、３２・・の先端部３２ａ、３２ａ・・にアール部３２ｂ、３２ｂ・・を設けて当接部３２、３２・・が底板１３に設けた段差部１３ｂ、１３ｂ・・に対して斜めに衝突しても、図６の（ｂ）と図８に示す各段差部１３ｂ、１３ｂ・・の中央で各当接部３２、３２・・の中心が再現性高く接触するようにした。さらに、図示を省略しているが、厚み方向にもアール部を形成して、筋状の高まりの尾根部分で底板１３の段差部１３ｂ、１３ｂ・・に接触させることにより、圧力の高まりに伴って接触面積が増えるようにしている。このため、エラストマー樹脂で形成された当接部３２、３２・・の弾性的な圧縮変形がさらに容易となり、各先端部３２ａ、３２ａ・・が底板１３の段差部１３ｂ、１３ｂ・・に衝突した際の衝撃が効果的に抑制されている。
【００３５】
押しボタン式スイッチ３では、上述したように、エラストマー樹脂の取付筒部３３がスイッチノブ２１の取付挿入部２１ａを圧入により保持するので、上記従来技術のような係止部材を設けていない押しボタン部材３０の抜け落ちを回避できる。そして、取付筒部３３には、スイッチノブ２１の取付挿入部２１ａの長方形断面を保持するために、図７の（ｂ）、（ｃ）に示すように、長方形断面の短辺３３ｄと長辺３３ｃの両方にテーパー形状を設けた取付穴３３ｂが形成されている。このため、取付筒部３３に対するスイッチノブ２１の取付挿入部２１ａの挿入を容易にすると共に、スイッチノブ２１の取付挿入部２１ａを取付穴３３ｂの長辺３３ｃの伸縮量により効率的に締め付けることができる。
【００３６】
（シボ加工）
ところで、詳しく図示はしてないが、押しボタン部材３０は、各当接部３２、３２・・の先端部３２ａ、３２ａ・・と各当接部３２、３２・・の外周面との両方の表面が微細な凹凸に覆われている。押しボタン部材３０は、当接部３２、３２・・は、射出成型の型の表面にサンドブラストによる微細な凹凸を形成することによりシボ加工（ナシ地加工）されている。詳細には、押し操作部３１の上面３１ａ及びアール面３１ｂは、光沢面とする一方、円柱部３１ｃ、当接部３２の全体、取付筒部３３の表面がシボ加工による微細な凹凸で覆われている。概ね一点鎖線で示す領域Ｅ１の表面全体に対してシボ加工を施している。シボ加工は、押しボタン部材３０とケース本体１０との接触状態を安定させて押しボタン部材３０の動作をスムーズにする効果があるが、押しボタン式スイッチ３の操作音を軽減する効果もある。
【００３７】
すなわち、当接部３２の先端部３２ａの表面が微細な凹凸に覆われている場合、図６（ａ）に示すように、押しボタン部材３０が押し操作されてケース本体１０の底板１３の段差部１３ｂに衝突した際の衝撃が緩和されて衝突音（特に高周波領域）が抑制される。また、スライドに伴ってケース本体１０に接触する側面が凹凸に覆われている場合、摩擦抵抗が増えて、押しボタン部材３０の押し操作が解除されて元の位置へ復帰する際の速度が減衰されるため、復帰に伴う衝突音が抑制される。当接部３２の全体がシボ加工されていることにより、当接部３２における振動伝達の減衰効果が高められている。押し操作部３１の円柱部３１ｃ及び当接部３２の外周面がシボ加工されていることにより、押しボタン部材３０がケース本体１０内をスライド移動する際の摩擦抵抗が大きくなり、押しボタン部材３０のスライド移動端で発生する衝撃が緩和されている。
【００３８】
また、図５と図７に示すように、取付筒部３３は、スイッチノブ２１の取付挿入部２１ａを圧入により保持する取付穴３３ｂを有し、取付穴３３ｂの内面もシボ加工によるマットな表面となっている。これは、スイッチノブ２１の取付挿入部２１ａを圧入した際の摩擦力を高めるためである。
【００３９】
（発明の効果）
実施例では、押しボタン式スイッチ３の操作時の騒音レベルを下げると共に、従来技術の吸音部材を削減して、コストダウンを実現可能な押しボタン式スイッチ３、及び操作盤１を提供することができる。具体的には、とくに図８に示すように、押しボタン部材３０の下端部とケース本体１０の底板１３との間に平面ドーナッツ円盤形状を呈したスポンジ製の吸音部材が設置されていない。また、押しボタン部材３０において、ゴム弾性を有して安価なウレタン樹脂を用いるため、騒音レベルを下げると共に押しボタン部材３０の製造コストを削減できる。
【００４０】
実施例では、押しボタン部材３０は、その外周の互いに対向する位置に、ケース本体１０の胴部１１の窓部（ガイド溝）１１ａに係止して非操作時のＯＦＦ状態の押しボタン部材３０の高さ位置を規制する上記した従来技術のような係止爪を有する係止部材が設けられていない。このため、係止部材に配慮することなく、防音効果の高い位置に防音効果の高まる形態で当接部３２を配置することができる。
【００４１】
実施例では、押しボタン部材３０を手指で押した際に、押しボタン部材３０が底板１３に設けた段差部１３ｂ、１３ｂ・・に衝突して発生する衝撃音は、エラストマで形成された当接部３２、３２・・で吸収／減衰されるため、押しボタン式スイッチ３の操作音を抑制することができる。
【００４２】
実施例では、押しボタン部材３０のエラストマで形成された当接部３２、３２・・の先端部３２ａ、３２ａ・・をシボ加工しているため、当接部３２，３２・・の先端部３２ａ、３２ａ・・とケース本体１０の底板１３に設けた段差部１３ｂ、１３ｂ・・との衝突時の衝撃音の防止効果を高めることができる。
【００４３】
したがって、本発明に係る操作盤１は、押しボタン式スイッチ３、３・・の操作音が抑制されているため、とくに夜間などの寝静まったときにテレビゲームを行って操作盤１を手荒に操作しても、同室あるいは隣室の人の安眠を妨げる心配のないものであり、その際に発生するトラブルを未然に防止することもできるものである。
【００４４】
（その他の実施の形態）
本発明の押しボタン式スイッチ、押しボタン、及び操作盤は、上述した実施例で説明した具体的な構成及び用途には限定されない。また、上述した実施例の構成の一部又は全部を等価な構成に置き換えた別の形態でも実施可能である。実施例では、本発明を家庭用のテレビゲーム機の操作盤１において実施した実施例を説明したが、実施例１の操作盤１は、業務用のテレビゲーム機の操作盤、ゲームソフトをインストールしたパソコン、その他のゲーム機、その他の各種装置の操作盤としてもそのまま実施可能である。これらの実施形態では、操作盤の形状や構造は、実施例のものとは異なるものとすることが可能であり、そこに用いられる押しボタン式スイッチの数や取付位置にも変更を加えることが可能である。
【００４５】
実施例では、射出成型の型の表面をサンドブラストすることで押しボタン部材３０の一部分にシボ加工（ナシ地加工）を施した。しかし、シボ加工による微細な凹凸で覆われた被加工面は、全体を光沢面にして射出成型された中間製品の表面をガラスビーズやクルミ殻粉でブラスト処理しても得ることができる。シボ加工によるエラストマ表面への転写パターンは、実施例１の粒子状以外にも、筋状、格子状、鱗状等、種々の形態を利用できる。
【産業上の利用可能性】
【００４６】
本発明は以上のように構成したので、とくにゲームソフトをインストールした家庭用テレビゲーム機の外付け操作盤、業務用テレビゲーム機やその他のゲーム機、その他の押しボタン式スイッチを用い、これを操作する際に発生する操作音の発生防止を必要とする各種装置の操作盤、操作部、操作パネル等において好適に用いられるものである。
【符号の説明】
【００４７】
１  操作盤
２  複合操作スイッチ
２ａ  操作レバー
３  押しボタン式スイッチ
１０  ケース本体
１１  胴部
１１ａ  窓部
１２  フランジ部
１３  底板
１３ａ  開口部
１３ｂ  段差部
１３ｃ  棚部
１４  取付片
１５  係止部
１６  貫通孔
２０  プッシュスイッチ
２１  スイッチノブ
２１ａ  取付挿入部
２１ｂ  円柱部
２１ｃ  段差部
２２  スイッチケース
２２ａ  係合部
２２ｂ  係止突片
２５，２６  端子
３０  押しボタン部材
３１  押し操作部
３２  当接部
３２ａ  先端部
３２ｂ  アール部
３２ｃ  逃がし溝
３３  取付筒部
３３ａ  段差部当接面
３３ｂ  取付穴
３３ｃ  長辺
３３ｄ  短辺
【図１】
2019125439.tif 000003
【図２】
2019125439.tif 000004
【図３】
2019125439.tif 000005
【図４】
2019125439.tif 000006
【図５】
2019125439.tif 000007
【図６】
2019125439.tif 000008
【図７】
2019125439.tif 000009
【図８】
2019125439.tif 000010